【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
無線通信システムのユーザ装置における無線資源割り当て方法であって、
ネットワークからスケジューリング情報を受信することであって、前記スケジューリング情報は、前記スケジューリング情報が動的スケジューリングモードに関連することを示すセル無線ネットワーク一時識別子（Ｃ−ＲＮＴＩ）、または、前記スケジューリング情報がセミパーシステントスケジューリングモードに関連することを示すセミパーシステントスケジューリングセル無線ネットワーク一時識別子（ＳＰＳ−Ｃ−ＲＮＴＩ）のいずれかを有することと、
前記スケジューリング情報が前記Ｃ−ＲＮＴＩを有する場合、対応する送信間隔中のみ前記スケジューリング情報を用いてダウンリンクデータを受信することと、
前記スケジューリング情報が前記ＳＰＳ−Ｃ−ＲＮＴＩを有する場合、割り当て期間に従って周期的に前記スケジューリング情報を用いてダウンリンクデータを受信することと、を有する、方法。
【請求項２】
前記Ｃ−ＲＮＴＩおよび前記ＳＰＳ−Ｃ−ＲＮＴＩは、前記スケジューリング情報を受信する前に前記ネットワークから割り当てられることを特徴とする、請求項１に記載の方法。
【請求項３】
前記スケジューリング情報は、物理ダウンリンク制御チャネル（ＰＤＣＣＨ）上で受信されることを特徴とする、請求項１に記載の方法。
【請求項４】
無線通信システムのユーザ装置における無線資源割り当て方法であって、
ネットワークからスケジューリング情報を受信することであって、前記スケジューリング情報は、前記スケジューリング情報が動的スケジューリングモードに関連することを示すＣ−ＲＮＴＩ、または、前記スケジューリング情報がセミパーシステントスケジューリングモードに関連することを示すＳＰＳ−Ｃ−ＲＮＴＩのいずれかを有することと、
前記スケジューリング情報が前記Ｃ−ＲＮＴＩを有する場合、対応する送信間隔中のみ前記スケジューリング情報を用いてアップリンクデータを送信することと、
前記スケジューリング情報が前記ＳＰＳ−Ｃ−ＲＮＴＩを有する場合、割り当て期間に従って周期的に前記スケジューリング情報を用いてアップリンクデータを送信することと、を有する、方法。
【請求項５】
前記Ｃ−ＲＮＴＩおよび前記ＳＰＳ−Ｃ−ＲＮＴＩは、前記スケジューリング情報を受信する前に前記ネットワークから割り当てられることを特徴とする、請求項４に記載の方法。
【請求項６】
前記スケジューリング情報は、ＰＤＣＣＨ上で受信されることを特徴とする、請求項５に記載の方法。
【請求項７】
無線通信システムで使用されるユーザ装置であって、
ネットワークからスケジューリング情報を受信するよう適応した受信部であって、前記スケジューリング情報は、前記スケジューリング情報が動的スケジューリングモードに関連することを示すＣ−ＲＮＴＩ、または、前記スケジューリング情報がセミパーシステントスケジューリングモードに関連することを示すＳＰＳ−Ｃ−ＲＮＴＩのいずれかを有し、
前記スケジューリング情報が前記Ｃ−ＲＮＴＩを有する場合、対応する送信間隔中のみ前記スケジューリング情報を用いてダウンリンクデータを受信し、
前記スケジューリング情報が前記ＳＰＳ−Ｃ−ＲＮＴＩを有する場合、割り当て期間に従って周期的に前記スケジューリング情報を用いてダウンリンクデータを受信するよう適応した受信部と、
前記スケジューリング情報が前記Ｃ−ＲＮＴＩを有する場合、対応する送信間隔中のみ前記スケジューリング情報を用いてアップリンクデータを送信し、
前記スケジューリング情報が前記ＳＰＳ−Ｃ−ＲＮＴＩを有する場合、割り当て期間に従って周期的に前記スケジューリング情報を用いてアップリンクデータを送信するよう適応した送信部と、を有する、ユーザ装置。
【請求項８】
無線通信システムにおけるネットワークでダウンリンクデータを送信する方法であって、
前記ネットワークからユーザ装置にスケジューリング情報を送信することであって、前記スケジューリング情報は、前記スケジューリング情報が動的スケジューリングモードに関連することを示すＣ−ＲＮＴＩ、または、前記スケジューリング情報がセミパーシステントスケジューリングモードに関連することを示すＳＰＳ−Ｃ−ＲＮＴＩのいずれかを有することと、
前記スケジューリング情報が前記Ｃ−ＲＮＴＩを有する場合、対応する送信間隔中のみ前記スケジューリング情報に基づいて前記ユーザ装置にダウンリンクデータを送信することと、
前記スケジューリング情報が前記ＳＰＳ−Ｃ−ＲＮＴＩを有する場合、割り当て期間に従って周期的に前記スケジューリング情報に基づいて前記ユーザ装置にダウンリンクデータを送信することと、を有する、方法。
【請求項９】
前記スケジューリング情報を送信する前に、前記Ｃ−ＲＮＴＩおよび前記ＳＰＳ−Ｃ−ＲＮＴＩを前記ユーザ装置に割り当てることをさらに有する、請求項８に記載の方法。
【請求項１０】
前記スケジューリング情報は、ＰＤＣＣＨ上で送信されることを特徴とする、請求項８に記載の方法。
【請求項１１】
無線通信システムにおけるネットワークでアップリンクデータを受信する方法であって、
ユーザ装置にスケジューリング情報を送信することであって、前記スケジューリング情報は、前記スケジューリング情報が動的スケジューリングモードに関連することを示すＣ−ＲＮＴＩ、または、前記スケジューリング情報がセミパーシステントスケジューリングモードに関連することを示すＳＰＳ−Ｃ−ＲＮＴＩのいずれかを有することと、
前記スケジューリング情報が前記Ｃ−ＲＮＴＩを有する場合、対応する送信間隔中のみ前記スケジューリング情報に基づいて前記ユーザ装置からアップリンクデータを受信することと、
前記スケジューリング情報が前記ＳＰＳ−Ｃ−ＲＮＴＩを有する場合、割り当て期間に従って周期的に前記スケジューリング情報を用いてアップリンクデータを受信することと、を有する、方法。
【請求項１２】
前記スケジューリング情報を送信する前に、前記Ｃ−ＲＮＴＩおよび前記ＳＰＳ−Ｃ−ＲＮＴＩを前記ユーザ装置に割り当てることをさらに有する、請求項１１に記載の方法。
【請求項１３】
前記スケジューリング情報は、ＰＤＣＣＨ上で送信されることを特徴とする、請求項１１に記載の方法。
【請求項１４】
無線通信システムで使用されるネットワークであって、
ユーザ装置にスケジューリング情報を送信するよう適応した送信部であって、前記スケジューリング情報は、前記スケジューリング情報が動的スケジューリングモードに関連することを示すＣ−ＲＮＴＩ、または、前記スケジューリング情報がセミパーシステントスケジューリングモードに関連することを示すＳＰＳ−Ｃ−ＲＮＴＩのいずれかを有し、
前記スケジューリング情報が前記Ｃ−ＲＮＴＩを有する場合、対応する送信間隔中のみ前記スケジューリング情報に基づいて前記ユーザ装置にダウンリンクデータを送信し、
前記スケジューリング情報が前記ＳＰＳ−Ｃ−ＲＮＴＩを有する場合、割り当て期間に従って周期的に前記スケジューリング情報に基づいて前記ユーザ装置にダウンリンクデータを送信するよう適応した送信部と、
前記スケジューリング情報が前記Ｃ−ＲＮＴＩを有する場合、対応する送信間隔中のみ前記スケジューリング情報に基づいて前記ユーザ装置からアップリンクデータを受信し、
前記スケジューリング情報が前記ＳＰＳ−Ｃ−ＲＮＴＩを有する場合、割り当て期間に従って周期的に前記スケジューリング情報に基づいて前記ユーザ装置からアップリンクデータを受信するよう適応した受信部と、を有する、ネットワーク。
【請求項１５】
無線通信システムにおけるユーザ装置でデータを受信する方法であって、
第１のスケジューリング情報をネットワークから受信し、前記第１のスケジューリング情報に基づいて初期パケットを前記ネットワークから受信することと、
前記ユーザ装置が前記初期パケットの正常なデコーディングに失敗した場合、ＮＡＣＫを前記ネットワークに送信することと、
第２のスケジューリング情報を前記ネットワークから受信し、前記第２のスケジューリング情報に基づいて再送信パケットを前記ネットワークから受信することと、
前記再送信パケットを前記初期パケットと組み合わせることによって、前記初期パケットおよび前記再送信パケットに関連するパケットを復元することと、を有し、
前記第１のスケジューリング情報および前記第２のスケジューリング情報のそれぞれは、前記スケジューリング情報が動的スケジューリングモードに関連することを示すＣ−ＲＮＴＩ、または、前記スケジューリング情報がセミパーシステントスケジューリングモードに関連することを示すＳＰＳ−Ｃ−ＲＮＴＩのいずれかを有する、方法。
【請求項１６】
前記Ｃ−ＲＮＴＩおよび前記ＳＰＳ−Ｃ−ＲＮＴＩは、前記スケジューリング情報を受信する前に前記ユーザ装置に割り当てられることを特徴とする、請求項１５に記載の方法。
【請求項１７】
前記スケジューリング情報は、ＰＤＣＣＨ上で受信されることを特徴とする、請求項１５に記載の方法。
【請求項１８】
前記第１のスケジューリング情報および前記第２のスケジューリング情報のそれぞれは、ＨＡＲＱプロセス識別子をさらに有することを特徴とする、請求項１５に記載の方法。
【請求項１９】
前記第１のスケジューリング情報および前記第２のスケジューリング情報のそれぞれは、対応するパケットが初期パケットであるかまたは再送信パケットであるかを示すインジケータをさらに有することを特徴とする、請求項１５に記載の方法。
【請求項２０】
無線通信システムにおいてデータを受信するユーザ装置であって、
第１のスケジューリング情報をネットワークから受信し、前記第１のスケジューリング情報に基づいて初期パケットを前記ネットワークから受信し、
前記ユーザ装置が前記初期パケットの正常なデコーディングに失敗した場合、ＮＡＣＫを前記ネットワークに送信し、
第２のスケジューリング情報を前記ネットワークから受信し、前記第２のスケジューリング情報に基づいて再送信パケットを前記ネットワークから受信し、
前記再送信パケットを前記初期パケットと組み合わせることによって、前記初期パケットおよび前記再送信パケットに関連するパケットを復元するよう構成され、
前記第１のスケジューリング情報および前記第２のスケジューリング情報のそれぞれは、前記スケジューリング情報が動的スケジューリングモードに関連することを示すＣ−ＲＮＴＩ、または、前記スケジューリング情報がセミパーシステントスケジューリングモードに関連することを示すＳＰＳ−Ｃ−ＲＮＴＩのいずれかを有する、ユーザ装置。
【請求項２１】
前記Ｃ−ＲＮＴＩおよび前記ＳＰＳ−Ｃ−ＲＮＴＩは、前記スケジューリング情報を受信する前に前記ユーザ装置に割り当てられることを特徴とする、請求項２０に記載のユーザ装置。
【請求項２２】
前記スケジューリング情報は、ＰＤＣＣＨ上で受信されることを特徴とする、請求項２０に記載のユーザ装置。
【請求項２３】
前記第１のスケジューリング情報および前記第２のスケジューリング情報のそれぞれは、ＨＡＲＱプロセス識別子をさらに有することを特徴とする、請求項２０に記載のユーザ装置。
【請求項２４】
前記第１のスケジューリング情報および前記第２のスケジューリング情報のそれぞれは、対応するパケットが初期パケットであるかまたは再送信パケットであるかを示すインジケータをさらに有することを特徴とする、請求項２０に記載のユーザ装置。